(57)【特許請求の範囲】
【請求項１】
キャビネット(１)内に設けられて押し込み操作されるスイッチ(ＳＷ)と、該スイッチ(ＳＷ)に被さるスイッチ釦(13)を具え、キャビネット(１)内に該スイッチ(ＳＷ)に電気的に繋がる回路基板(５)を設けた電気機器に於いて、
キャビネット(１)上には、電気部品が載置され、キャビネット(１)の内側には、キャビネット(１)を挟んで電気部品に対向する金属製のホルダ(３)が設けられ、ホルダ(３)と電気部品にてキャビネット(１)を挟むことによってのみ、ホルダ(３)はキャビネット(１)に取り付けられて、
前記スイッチ(ＳＷ)は電気部品から離れてホルダ(３)上に設けられてスイッチ釦(13)に対向し、可撓性基板(６)又は電線により回路基板(５)に接続されたことを特徴とする電気機器。
【請求項２】
キャビネット(１)は金属を射出成型して形成される請求項１に記載の電気機器。
【請求項３】
キャビネット(１)上に載置された電気部品は、押し込み又は回動操作可能なスイッチユニット(２)である請求項１又は２に記載の電気機器。
【発明の詳細な説明】
【０００１】
【発明の属する技術分野】
本発明は、押込み式のスイッチを具えた電気機器、具体的にはデジタルスチルカメラに関する。
【０００２】
【従来の技術】
図７は、従来のデジタルスチルカメラの側面断面図である。これは、透孔(12)を開設したキャビネット(１)の内壁からボス(16)(16)を突出し、該ボス(16)(16)の先端部に回路基板(５)を取り付けている。回路基板(５)上には、押し込み操作されるスイッチ(ＳＷ)が搭載されている。
キャビネット(１)は合成樹脂を射出成型してボス(16)(16)と一体に設けられる。キャビネット(１)の内壁には弾性片(８)の基端部が取り付けられ、該弾性片(８)の先端部には透孔(12)に嵌まるスイッチ釦(13)が設けられている。スイッチ釦(13)からはスイッチ(ＳＷ)に対向した突片(80)が内向きに突出している。スイッチ釦(13)を押すと、弾性片(８)が下向きに撓み変形し、突片(80)がスイッチ(ＳＷ)を押す。回路基板(５)の高さ位置は、ボス(16)によって決められ、高さ位置のバラ付きは少ない。
【０００３】
【発明が解決しようとする課題】
近年、外観の質感及び手触りに鑑みて、キャビネット(１)を金属、具体的にはマグネシウムの射出成型にて形成することが多い。然るに、金属は融点が高いから、成型温度が高く、且つ金型注入時に直ぐに凝固するから射出速度が速い。従って、キャビネット(１)のコア側に内スライドや倒れピンを設ける場合、該箇所への応力集中等による破損、並びに金型寿命の短命化を招くため、大量生産する際には作成が困難である。また、キャビネット(１)を大量生産する際には、金型にてボス(16)(16)等の異形形状をキャビネット(１)と同時に成型することは困難である。
そこで、金属の射出成型にて設けたキャビネット(１)に回路基板(５)を取り付ける構成として、図８に示すものが考えられる。これは、キャビネット(１)に開設された窓孔(19)に保持部材(81)を嵌め、該保持部材(81)を介して回路基板(５)をキャビネット(１)内に取り付けている。しかし、保持部材(81)の取付け誤差等により回路基板(５)の高さ位置がバラ付き易く、スイッチ(ＳＷ)を操作するのに、スイッチ釦(13)を押し込む量がバラ付く。この結果、キャビネット(１)毎に、スイッチ釦(13)の押圧力が異なり、スイッチ釦(13)を操作する時に使用者が受けるクリック感がバラ付く問題を招来する。
本発明の目的は、スイッチ釦の押圧力がキャビネット毎にバラ付くことを防ぐことにある。
【０００４】
【課題を解決する為の手段】
キャビネット(１)上には、電気部品が載置され、キャビネット(１)の内側には、キャビネット(１)を挟んで電気部品に対向する金属製のホルダ(３)が設けられ、ホルダ(３)と電気部品にてキャビネット(１)を挟むことによってのみ、ホルダ(３)はキャビネット(１)に取り付けられて、
前記スイッチ(ＳＷ)は電気部品から離れてホルダ(３)上に設けられてスイッチ釦(13)に対向し、可撓性基板(６)又は電線により回路基板(５)に接続されている。
【０００５】
【作用及び効果】
スイッチ(ＳＷ)は電気部品に取り付けられたホルダ(３)上に設けられる。電気部品はキャビネット(１)上に載置されているから、ホルダ(３)とキャビネット(１)の間隔は略一定であり、バラ付きは少ない。従って、ホルダ(３)上のスイッチ(ＳＷ)と、キャビネット(１)上のスイッチ釦(13)の間隔はバラ付きが少なく、スイッチ釦(13)を押し込む量はバラ付かない。この結果、キャビネット(１)毎に、スイッチ釦(13)の押圧力が異なる虞れを防止でき、スイッチ釦(13)を操作時のクリック感がバラ付く問題を解決できる。
【０００６】
【発明の実施の形態】
以下、本発明の一例を図を用いて詳述する。
図１は、デジタルスチルカメラの全体斜視図である。デジタルスチルカメラは、上面に動作モードの表示部(15)を設けたキャビネット(１)の一側部にレンズ収納筒(11)を回動可能に取り付けて構成される。キャビネット(１)の上面には、スイッチユニット(２)及びスイッチ釦(13)(13)が設けられている。
スイッチユニット(２)はキャビネット(１)に接する基台(20)上に押し込み操作可能な軸体(21)を設け、該軸体(21)に操作環(22)を回動自在に嵌めている。軸体(21)はデジタルスチルカメラにてシャッタ釦であり、操作環(22)は記録又は再生等の動作モードの切換え時に回動操作される。また、スイッチ釦(13)は動作スピードの調整時等に操作される。
レンズ収納筒(11)の一側部からはレンズ(14)が突出し、レンズ収納筒(11)はレンズ(14)が前方を向いた第１の位置と、レンズ(14)が上を向いた第２の位置との間を回動する。
【０００７】
キャビネット(１)は外観のデザイン、質感及び手触り等に鑑みて金属、具体的には環境に配慮したリサイクル性の高い金属としてマグネシウムを射出成型して形成される。この射出成型には、所謂チクソモールド法が用いられる。図６は、チクソモールド法の概略を示す側面図である。  周知の如く、金型は固定型(７)と可動型(70)から構成され、ホッパ(71)から供給されるマグネシウムはシリンダ(72)に供給されて、スクリュー(73)により金型内に射出される。ホッパ(71)へのマグネシウムはチップ状のものを使用し、シリンダ(72)を加熱して半溶解させ、高速で金型に射出する(東芝テクノレビュー９８年１２月号参照)。このチクソモールド法は成型品の肌が美しくなる反面、射出速度が合成樹脂材料に比して非常に速いので、金型上に微細な形状の加工を施すと、該箇所に応力集中が生じて金型が破損する虞れがある。従って、図７に示すようなボス(16)をキャビネット(１)と一体に成型することは困難であり、特にキャビネット(１)を大量生産する場合には、不具合が大きい。
【０００８】
本例はボス(16)をキャビネット(１)と一体に成型することなく、且つキャビネット(１)毎にスイッチ釦(13)(13)のクリック感がバラ付くことを防ぐ点に特徴がある。
図２は、図１のキャビネット(１)をＡ−Ａ線で破断した断面側面図である。キャビネット(１)上には、透孔(12)及び中央部が開口(18)した凹面(17)が形成され、スイッチユニット(２)は基台(20)が凹面(17)内に設けられる。従来と同様に、スイッチ釦(13)は透孔(12)内に嵌まっている。キャビネット(１)内には回路基板(５)が設けられ、スイッチユニット(２)は下面に取り付けられた可撓性基板(６)が回路基板(５)に繋がって、該回路基板(５)と電気的に接続されている。
【０００９】
キャビネット(１)の上壁と回路基板(５)との間には、金属板から構成されたホルダ(３)が設けられ、該ホルダ(３)がビス(31)によってスイッチユニット(２)に取り付けられる。これにより、スイッチユニット(２)は上方への抜けが防止される。
ホルダ(３)はスイッチユニット(２)からスイッチ釦(13)に向かって延びており、該スイッチ釦(13)側の端部にスイッチ(ＳＷ)を搭載している。スイッチ(ＳＷ)は前記可撓性基板(６)に半田付けされて電気的に接続し、スイッチ釦(13)の下方に配備されている。
スイッチ(ＳＷ)はスイッチユニット(２)に取り付けられたホルダ(３)上に設けられる。スイッチユニット(２)はキャビネット(１)上に載置されているから、ホルダ(３)とキャビネット(１)の間隔は略一定であり、バラ付きは少ない。従って、ホルダ(３)上のスイッチ(ＳＷ)と、キャビネット(１)上のスイッチ釦(13)の間隔はバラ付きが少なく、スイッチ釦(13)を押し込む量はバラ付かない。この結果、キャビネット(１)毎に、スイッチ釦(13)の押圧力が異なる虞れを防止できる。
また、スイッチ(ＳＷ)と回路基板(５)は可撓性基板(６)にて接続されているから、回路基板(５)の高さ位置がバラ付いてもスイッチ(ＳＷ)と回路基板(５)の電気的接続には何等問題がない。
【００１０】
(組立手順)
図３は、スイッチ釦(13)、ホルダ(３)、スイッチユニット(２)の分解斜視図である。スイッチ釦(13)は枠体(４)の中央部に設けられた開口(40)内に配備され、開口(40)の周縁とは細い支持杆(41)によって繋がっている。スイッチ釦(13)と枠体(４)は合成樹脂の射出成型によって一体に設けられ、スイッチ釦(13)は支持杆(41)を基端部として上下に弾性変形する。また、ホルダ(３)には前記ビス(31)が貫通する孔(30)(30)(30)が開設されている。以下に各部品の組立手順を示す。
先ず、枠体(４)をキャビネット(１)の上壁の裏面に取り付け、スイッチ釦(13)(13)を透孔(12)(12)から突出させる。キャビネット(１)には枠体(４)の位置決め凹部(図示せず)が設けられている。枠体(４)をキャビネット(１)に両面テープ等にて落下しない程度に一旦仮止めする。
【００１１】
次に、図４に示すように、スイッチユニット(２)を凹面(17)の上方に配備し、スイッチ(ＳＷ)(ＳＷ)を設けた可撓性基板(６)の端部を捻りながら開口(18)内に挿入する。図２に示すように、枠体(４)と凹面(17)は重なっていないから、可撓性基板(６)は枠体(４)に邪魔されずにキャビネット(１)内に入る。
図５は、枠体(４)とスイッチユニット(２)を取り付けたキャビネット(１)を上壁の裏側から見た図である。図２及び図５に示すように、可撓性基板(６)を曲げてスイッチ(ＳＷ)(ＳＷ)をスイッチ釦(13)(13)に対向させる。スイッチユニット(２)の基台(20)の下面には、ビス(31)が螺合するネジ孔(23)(23)(23)が開設されているが、可撓性基板(６)はネジ孔(23)(23)(23)を避けている。
【００１２】
最後にホルダ(３)をスイッチユニット(２)及びスイッチ釦(13)に被せて、ホルダ(３)の孔(30)(30)(30)とスイッチユニット(２)のビス孔(23)(23)(23)を重ね、ビス(31)にて締結する。枠体(４)はホルダ(３)に支持されて、スイッチ釦(13)(13)がキャビネット(１)から突出した状態を保ち、組立が完了する。
尚、スイッチ(ＳＷ)(ＳＷ)は可撓性基板(６)上に設けられているとしたが、これに代えてスイッチ(ＳＷ)(ＳＷ)を電線(図示せず)上に設けてもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】デジタルスチルカメラの全体斜視図である。
【図２】図１のキャビネットをＡ−Ａ線で破断した断面側面図である。
【図３】スイッチ釦、ホルダ、スイッチユニットの分解斜視図である。
【図４】図３をＢ−Ｂ線で破断した断面図である。
【図５】枠体とスイッチユニットを取り付けたキャビネットを上壁の裏側から見た図である。
【図６】チクソモールド法の概略を示す側面図である。
【図７】従来のデジタルスチルカメラの側面断面図である。
【図８】回路基板の取り付けの一例を示す側面断面図である。
【符号の説明】
(１)  キャビネット
(２)  スイッチユニット
(３)  ホルダ
(５)  回路基板
(６)  可撓性基板
(13)  スイッチ釦
【図１】
0003806564.tif 000002
【図２】
0003806564.tif 000003
【図３】
0003806564.tif 000004
【図４】
0003806564.tif 000005
【図５】
0003806564.tif 000006
【図６】
0003806564.tif 000007
【図７】
0003806564.tif 000008
【図８】
0003806564.tif 000009